(57)【要約】【課題】  所望のコンテンツを放送する（またはその可能性が高い）放送局を自動的に選択すること。【解決手段】  キューシートに基づいて、現在選択されている放送局および他の放送局が共にユーザによって登録されたキーワードを含むコンテンツ情報で特定されるコンテンツを放送していると判断された場合、他の放送局の連続同一再生確率が、現在選択されている放送局の連続同一再生確率よりも高いか否かを判断し、他の放送局の連続同一再生確率が、現在選択されている放送局の連続同一再生確率よりも高い場合、受信放送局を他の放送局に切換える。従って、現在選択されている放送局と他の放送局とのうち、現在放送されているコンテンツと同じコンテンツ情報を有するコンテンツを放送する確率が高い方の放送局に自動的に切換えることができる。【選択図】図５
2012151606.tif 000002
【特許請求の範囲】
【請求項１】
放送された複数のコンテンツのコンテンツ情報と放送時刻情報とを含む、複数の放送局毎のキューシートを、所定時間毎に受信するキューシート受信手段と、
ユーザ操作によってキーワードを登録するキーワード登録手段と、
各放送局のキューシートに記述されている現在時刻に対応するコンテンツ情報の中に、前記キーワードを含むコンテンツ情報が存在するか否かを判断するキーワード判断手段と、
前記キーワードを含むコンテンツ情報が存在する場合に、前記キーワードを含むコンテンツ情報のコンテンツを放送している放送局に受信放送局を切換える切換手段と、
放送局毎に、時刻に対応付けて、同じコンテンツ情報を有するコンテンツが連続して放送される確率である連続同一再生確率に関する情報を、前記キューシートに基づいて管理する管理手段と、
現在選択されている放送局および他の放送局が共に前記キーワードを含むコンテンツ情報で特定されるコンテンツを放送していると判断された場合、前記他の放送局の連続同一再生確率が、現在選択されている放送局の連続同一再生確率よりも高いか否かを判断する手段とを備え、
前記他の放送局の連続同一再生確率が、現在選択されている放送局の連続同一再生確率よりも高い場合、前記切換手段が前記他の放送局に切換える、放送受信装置。
【請求項２】
番組表を所定時間毎に受信する番組表受信手段と、
放送局毎に、時刻に対応付けて、前記キューシートに記述されているコンテンツ情報が、前記番組表に記述されている番組情報にも記述されている確率である情報一致確率に関する情報を管理する手段と、
前記キーワード判断手段によっていずれの放送局も前記キーワードを含むコンテンツ情報で特定されるコンテンツを放送していないと判断された場合、各放送局の番組表に記述されている現在時刻に対応する番組情報の中に、前記キーワードを含む番組情報が存在するか否かを判断する手段と、
前記キーワードを含む番組情報が存在する場合に、前記キーワードを含む番組情報に対応する放送局の現在時刻における情報一致確率が、所定の閾値以上であるか否かを判断する手段とをさらに備え、
前記キーワードを含む番組情報に対応する放送局の現在時刻における情報一致確率が所定の閾値以上である場合に、前記切換手段が、前記キーワードを含む番組情報に対応する放送局に切換える、請求項１に記載の放送受信装置。
【請求項３】
前記キーワードを含む番組情報が存在しない場合、または、前記キーワードを含む番組情報に対応する放送局の現在時刻における情報一致確率が所定の閾値未満である場合、前記切換手段が所定の放送局に切換える、又は、放送局を切換えない、請求項２に記載の放送受信装置。
【請求項４】
放送された複数のコンテンツのコンテンツ情報と放送時刻情報とを含む、複数の放送局毎のキューシートを、所定時間毎に受信するキューシート受信手段と、
番組表を所定時間毎に受信する番組表受信手段と、
ユーザ操作によってキーワードを登録するキーワード登録手段と、
放送局毎に、時刻に対応付けて、前記キューシートに記述されているコンテンツ情報が、前記番組表に記述されている番組情報にも記述されている確率である情報一致確率に関する情報を管理する手段と、
各放送局の番組表に記述されている現在時刻に対応する番組情報の中に、前記キーワードを含む番組情報が存在するか否かを判断する手段と、
前記キーワードを含む番組情報が存在する場合に、前記キーワードを含む番組情報に対応する放送局の現在時刻における情報一致確率が、所定の閾値以上であるか否かを判断する手段と、
前記キーワードを含む番組情報に対応する放送局の現在時刻における情報一致確率が所定の閾値以上である場合に、前記キーワードを含む番組情報に対応する放送局に切換える切換手段とを備える、放送受信装置。
【請求項５】
請求項１〜４のいずれかに記載の放送受信装置の各手段をコンピュータに実行させる、放送受信プログラム。
【発明の詳細な説明】
【技術分野】
【０００１】
本発明は、放送受信装置及びそのプログラムに関する。
【背景技術】
【０００２】
ラジオ放送やＴＶ放送を受信装置で受信して、音声データ及び／又は映像データを再生（又は記録）する場合に、ユーザは、番組表等を参考にして、放送データを受信する所望の放送局（チャンネルや周波数）を選択する必要がある。放送データを記録する場合には、ユーザ操作によって予めキーワードを登録しておき、ＥＰＧ（電子番組表）に記述されている各番組の放送内容情報に含まれているキーワードが、ユーザによって登録されたキーワードと一致する場合に、当該番組を自動的に記録する技術が使用されている。しかし、この技術によると、受信する放送局を番組単位でしか自動選択することができず、１つのチューナしか備えない場合に、登録されているキーワードが同じ時間帯に重複して複数の番組に存在する場合には、一方の番組しか受信して記録することができない。また、ＥＰＧに含まれている放送内容情報は将来的に放送される情報であり、例えば生放送のように放送内容情報が放送開始前に未確定のものについては、登録されているキーワードによって自動的に放送局を選択することができない。
【先行技術文献】
【特許文献】
【０００３】
【特許文献１】特開２００３−１０１４２４号公報
【特許文献２】特開２００１−２７５０５３号公報
【発明の概要】
【発明が解決しようとする課題】
【０００４】
本発明は上記従来の課題を解決するためになされたものであり、その目的は、所望のコンテンツを放送する（またはその可能性が高い）放送局を自動的に選択することができる放送受信装置を提供することである。
【課題を解決するための手段】
【０００５】
本発明の好ましい実施形態による放送受信システムは、放送された複数のコンテンツのコンテンツ情報と放送時刻情報とを含む、複数の放送局毎のキューシートを、所定時間毎に受信するキューシート受信手段と、ユーザ操作によってキーワードを登録するキーワード登録手段と、各放送局のキューシートに記述されている現在時刻に対応するコンテンツ情報の中に、前記キーワードを含むコンテンツ情報が存在するか否かを判断するキーワード判断手段と、前記キーワードを含むコンテンツ情報が存在する場合に、前記キーワードを含むコンテンツ情報のコンテンツを放送している放送局に受信放送局を切換える切換手段と、放送局毎に、時刻に対応付けて、同じコンテンツ情報を有するコンテンツが連続して放送される確率である連続同一再生確率に関する情報を、前記キューシートに基づいて管理する管理手段と、現在選択されている放送局および他の放送局が共に前記キーワードを含むコンテンツ情報で特定されるコンテンツを放送していると判断された場合、前記他の放送局の連続同一再生確率が、現在選択されている放送局の連続同一再生確率よりも高いか否かを判断する手段とを備え、前記他の放送局の連続同一再生確率が、現在選択されている放送局の連続同一再生確率よりも高い場合、前記切換手段が前記他の放送局に切換える。
【０００６】
現在選択されている放送局および他の放送局が共に前記キーワードを含むコンテンツ情報で特定されるコンテンツを放送していると判断された場合、他の放送局の連続同一再生確率が、現在選択されている放送局の連続同一再生確率よりも高いか否かを判断し、他の放送局の連続同一再生確率が、現在選択されている放送局の連続同一再生確率よりも高い場合、受信放送局を他の放送局に切換える。従って、現在選択されている放送局と他の放送局とのうち、現在放送されているコンテンツと同じコンテンツ情報を有するコンテンツを放送する確率が高い方の放送局に自動的に切換えることができる。
【０００７】
好ましい実施形態においては、番組表を所定時間毎に受信する番組表受信手段と、放送局毎に、時刻に対応付けて、前記キューシートに記述されているコンテンツ情報が、前記番組表に記述されている番組情報にも記述されている確率である情報一致確率に関する情報を管理する手段と、前記キーワード判断手段によっていずれの放送局も前記キーワードを含むコンテンツ情報で特定されるコンテンツを放送していないと判断された場合、各放送局の番組表に記述されている現在時刻に対応する番組情報の中に、前記キーワードを含む番組情報が存在するか否かを判断する手段と、前記キーワードを含む番組情報が存在する場合に、前記キーワードを含む番組情報に対応する放送局の現在時刻における情報一致確率が、所定の閾値以上であるか否かを判断する手段とをさらに備え、前記キーワードを含む番組情報に対応する放送局の現在時刻における情報一致確率が所定の閾値以上である場合に、前記切換手段が、前記キーワードを含む番組情報に対応する放送局に切換える。
【０００８】
各放送局の番組表に記述されている現在時刻に対応する番組情報の中にキーワードを含む番組情報が存在する場合に、キーワードを含む番組情報に対応する放送局の現在時刻における情報一致確率が、所定の閾値以上であるか否かを判断する。所定の閾値以上である場合に、受信放送局をキーワードを含む番組情報に対応する放送局に切換える。番組情報がキーワードを含んでいる場合であってもその時刻にコンテンツを放送しているとは限らないが、現在時刻の情報一致確率が所定の閾値以上である場合には、コンテンツを放送している可能性が高いと判断できる。従って、所望のキーワードに関連するコンテンツの放送を受信できる可能性を高めることができる。
【０００９】
好ましい実施形態においては、前記キーワードを含む番組情報が存在しない場合、または、前記キーワードを含む番組情報に対応する放送局の現在時刻における情報一致確率が所定の閾値未満である場合、前記切換手段が所定の放送局に切換える、又は、放送局を切換えない。
【００１０】
本発明の好ましい実施形態による放送受信システムは、放送された複数のコンテンツのコンテンツ情報と放送時刻情報とを含む、複数の放送局毎のキューシートを、所定時間毎に受信するキューシート受信手段と、番組表を所定時間毎に受信する番組表受信手段と、ユーザ操作によってキーワードを登録するキーワード登録手段と、放送局毎に、時刻に対応付けて、前記キューシートに記述されているコンテンツ情報が、前記番組表に記述されている番組情報にも記述されている確率である情報一致確率に関する情報を管理する手段と、各放送局の番組表に記述されている現在時刻に対応する番組情報の中に、前記キーワードを含む番組情報が存在するか否かを判断する手段と、前記キーワードを含む番組情報が存在する場合に、前記キーワードを含む番組情報に対応する放送局の現在時刻における情報一致確率が、所定の閾値以上であるか否かを判断する手段と、前記キーワードを含む番組情報に対応する放送局の現在時刻における情報一致確率が所定の閾値以上である場合に、前記キーワードを含む番組情報に対応する放送局に切換える切換手段とを備える。
【００１１】
本発明の好ましい実施形態においては、上記放送受信装置の各手段をコンピュータに実行させる放送受信プログラムが提供される。
【発明の効果】
【００１２】
所望のコンテンツを放送する（またはその可能性が高い）放送局を自動的に選択することができる放送受信装置を提供することができる。
【図面の簡単な説明】
【００１３】
【図１】本発明の好ましい実施形態による放送受信装置を示すブロック図である。
【図２Ａ】キューシートの一例を示す図である。
【図２Ｂ】キューシートの一例を示す図である。
【図２Ｃ】キューシートの一例を示す図である。
【図３】番組表の一例を示す図である。
【図４Ａ】履歴情報テーブルの一例を示す図である。
【図４Ｂ】履歴情報テーブルの一例を示す図である。
【図５】放送受信装置の処理を示すフローチャートである。
【図６】放送受信装置の処理を示すフローチャートである。
【図７】放送受信装置の処理を示すフローチャートである。
【発明を実施するための形態】
【００１４】
以下、本発明の好ましい実施形態について、図面を参照して具体的に説明するが、本発明はこれらの実施形態には限定されない。
【００１５】
図１は、本発明の好ましい実施形態による放送受信システムを示すブロック図である。放送受信システムは、放送受信装置１、及び、サーバ１００を備える。放送受信装置１は、複数の放送局の中から選択された放送局が放送する放送データを受信する。放送受信装置１は、全放送局の放送データを同時に受信することができず、特に限定されないが、本例では１つの放送局の放送データのみを受信するものとする。受信した放送データは、再生部５によって再生され、又は、ＨＤＤ３に放送データファイルとして記録される。
【００１６】
サーバ１００は、図示しない複数の放送局についてキューシートを記憶している。キューシートは、複数の放送局毎に、放送された（及び現在放送中の）複数のコンテンツのコンテンツ情報と、放送時刻情報とを含む。サーバ１００は、管理者の操作に応じて、時間の経過に伴い放送されたコンテンツのコンテンツ情報を順次キューシートに追加し、キューシートを更新する。サーバ１００は、放送受信装置１からの要求に応じて、放送受信装置１にキューシートを送信する。
【００１７】
サーバ１００は、図示しない複数の放送局について番組表を記憶している。番組表は、複数の放送局毎に、番組の番組情報と放送時刻とを含む。サーバ１００は、放送受信装置１からの要求に応じて、放送受信装置１に番組表を送信する。
【００１８】
放送受信装置１は、制御部２、ＨＤＤ（Hard
Disk Drive）等の記録媒体３、メモリ（ＲＯＭ及び／又はＲＡＭ）４、再生部５、受信部６、通信部７、操作部８、および、表示部９を備える。制御部２は、メモリ４に格納されている放送受信プログラムに基づいて放送受信装置１の各部を制御するものであり、例えば、マイコンやＣＰＵ等である。
【００１９】
受信部６は、図示しない放送局から放送される複数のコンテンツを含む放送データを受信する。つまり、放送データは、複数の番組を含み、かつ、各番組はその中に１又は複数のコンテンツを含む。コンテンツとは、放送データの部分データであって、音楽（曲）、映像および／または静止画等のデータの総称であり、本例では曲データである。放送はＴＶ放送またはラジオ放送等であり、デジタル放送、アナログ放送、衛星放送またはインターネット放送等の任意の放送が採用され得る。本例では、複数の曲データを含むＦＭ放送を例に説明する。
【００２０】
ＨＤＤ３は、受信部６によって受信された放送データを制御部２の指示により記録する。再生部５は、受信部６によって受信された放送データを再生（例えば、復調や増幅）し、外部に接続された図示しないスピーカーに音声を出力する。また、再生部５は、ＨＤＤ３に記録されている放送データファイルをＨＤＤ３から読み出して再生する。
【００２１】
通信部７は、インターネット等の任意のネットワークを介してサーバ１００に接続し、サーバ１００との間で、コマンド、データおよび情報を送受信する。操作部８は、ユーザ操作を受け付けるものであり、操作ボタン、リモコン、キーボード、マウス等である。表示部９は、放送データを受信している放送局の情報や、コンテンツ情報を表示するものであり、液晶ディスプレイ等である。
【００２２】
図２Ａ〜図２Ｃは、各放送局Ｘ、Ｙ、Ｚのキューシートの一例を示す図である。キューシートは、放送局名と、コンテンツ情報（例えば、アーティスト名、曲名等）と、放送時刻（例えば、放送開始時刻、放送終了時刻）とを含む。例えば、図２Ａに示すように、放送局Ｘにおいて、２０１０年１月１日の１３時００分〜１３時１０分にアーティト名ａａａ、曲名ＡＡＡ１の曲が放送されたことを示している。なお、曲の放送終了時刻が次の曲の放送開始時刻と同じである場合には、キューシートに放送終了時刻が含まれなくてもよい。
【００２３】
キューシートは、サーバ１００の管理者の操作によって、順次、コンテンツ情報と放送時刻とが更新されている。例えば、放送局Ｘで２０１０年１月１日の１３時１０分にアーティト名ｂｂｂ、曲名ＢＢＢの曲が放送開始されると、ただちにサーバ１００の管理者の操作によって、サーバ１００は、放送局Ｘのキューシートに、アーティト名ｂｂｂ、曲名ＢＢＢ、放送開始時刻２０１０年１月１日の１３時１０分を登録する。このときには、アーティト名ｂｂｂ、曲名ＢＢＢの放送終了時刻は未定であるので、未だ登録されない。
【００２４】
そして、２０１０年１月１日の１３時１５分に次曲であるアーティト名ｃｃｃ、曲名ＣＣＣの曲が放送開始されると、ただちにサーバ１００の管理者の操作によって、サーバ１００は、放送局Ｘのキューシートに、アーティト名ｃｃｃ、曲名ＣＣＣ、放送開始時刻２０１０年１月１日の１３時１５分を登録し、アーティト名ｂｂｂ、曲名ＢＢＢの放送終了時刻に２０１０年１月１日の１７時１５分を登録する。
【００２５】
制御部２は、所定時間間隔（例えば３０秒毎）に、サーバ１００に各放送局のキューシートを要求して取得し、メモリ４に保存する。この所定時間は、最新のキューシートを迅速に取得できるという理由で可能な限り短い方が好ましいが、短すぎると放送受信装置１とサーバ１００との間の通信量が増大してしまうので、これを踏まえて適切な時間に設定されるとよい。好ましくは、サーバ１００でキューシートが所定時間間隔（例えば３０秒）で更新される場合、制御部２がサーバ１００からキューシートを要求して取得する所定時間は、サーバ１００がキューシートを更新する所定時間以下とすることで、可能な限り遅滞なく最新のキューシートを取得できる。なお、サーバ１００がキューシートを更新した際に、制御部２の要求なく、キューシートを放送受信装置１に送信してもよい。
【００２６】
図３は、各放送局Ｘ、Ｙ、Ｚ等の番組表を示す図である。番組表は、放送局名および放送時刻に対応付けて番組情報を含む。番組情報は、番組名、出演者および番組内容などを含む。番組表は、キューシートとは異なり、将来的に放送される番組の番組情報を含む。
【００２７】
メモリ４には、放送局毎に、図４（図４Ａ、図４Ｂ）に示す履歴情報テーブルが格納されている。例えば、図４Ａは、放送局Ｘの履歴情報テーブルであり、図４Ｂは、放送局Ｙの履歴情報テーブルである。履歴情報テーブルは、時刻（特に限定されないが例えば分単位）に対応付けて、曲数、連続同一再生回数、および、情報一致回数の項目を含む。
【００２８】
曲数は、その時刻に曲が放送された累積回数を表す。曲数は、キューシートに基づいてカウントされる。例えば、図２Ａのキューシートの最上段を参照すると、アーティスト名ａａａ、曲名ＡＡＡ１の曲が２０１０年１月１日１３：００〜１３：１０に放送されたことになるので、図４Ａの履歴情報テーブルの１３時０分〜１３時１０分の各分（１１列分）の曲数の項目にそれぞれ１が加算される。
【００２９】
連続同一再生回数は、その時刻に放送された曲の次に放送された曲が同じコンテンツ情報（本例ではアーティスト名）である累積回数を示す。例えば図４Ａでは、１３時５分の連続同一再生回数は１になっている。これは、１３時５分に放送されていた曲と同じアーティスト名の曲が次に続けて放送されたことが１回あることを示している。図２Ａのキューシートにおいて、上から４行目と５行目とでアーティスト名が同じである。この場合に、４行目の曲の放送時刻（１３：２１〜１３：２９）の各分において連続同一再生回数の項目が１加算される。なお、各分において、連続同一再生回数を曲数で除算することによって、各時刻の連続同一再生確率が算出される。すなわち、履歴情報テーブルには、連続同一再生確率（つまり、同じコンテンツ情報を有するコンテンツがその後にも続けて放送される確率）に関する情報が登録されているということが言える。
【００３０】
情報一致回数は、その時刻において、キューシートに記述されている情報（アーティスト名、曲名）が、番組表の番組情報にも記載されている累積回数を示す。例えば、図４Ａでは、１３時２分の情報一致回数が１になっている。これは、キューシートの１３時２分に記述されていたアーティスト名又は曲名が、番組表における同時刻に対応する番組の番組情報にも記述されていたことが１回あったことを示している。例えば、図２Ａのキューシートにおいて、上から２行目のアーティスト名がｂｂｂであるが、この時刻に対応する（例えば、２０１０年１月１日１３：００〜１４：００）番組表の番組情報にもアーティスト名ｂｂｂが記述されている場合、１３：１０〜１３：１５の各分において情報一致回数の項目が１加算される。なお、各分において、情報一致回数を曲数で除算することによって、各時刻における情報一致確率が算出される。すなわち、履歴情報テーブルには、情報一致確率に関する情報が登録されているということが言える。
【００３１】
制御部２は、ユーザ操作によって、キーワードが入力されると、入力されたキーワードをメモリ４に登録する。制御部２は、サーバ１００からキューシートを受信したとき、新たに受信したキューシートを参照して、現在時刻に対応する各放送局のキューシートのコンテンツ情報（曲名、アーティスト名）を確認し、コンテンツ情報にユーザ操作によって登録されたキーワードが含まれているコンテンツ情報が存在するか否かを判断する。存在する場合には、制御部２は、コンテンツ情報にキーワードが含まれているコンテンツを放送している放送局を選択し、選択した放送局の放送データを受信するように、受信部６を制御する。なお、現在時刻は、制御部２内部で管理している時計に基づいて決定されるとよい。
【００３２】
制御部２は、放送局毎に、時刻に対応付けて、同じコンテンツ情報を有するコンテンツが連続して放送される確率である連続同一再生確率に関する情報を、キューシートに基づいて、履歴情報テーブルを使って管理する。制御部２は、現在選択されている放送局および他の放送局が共にキーワードを含むコンテンツ情報で特定されるコンテンツを放送していると判断された場合、他の放送局の連続同一再生確率が、現在選択されている放送局の連続同一再生確率よりも高いか否かを判断する。他の放送局の連続同一再生確率が、現在選択されている放送局の連続同一再生確率よりも高い場合、制御部２は、受信放送局を他の放送局に切換える。
【００３３】
制御部２は、放送局毎に、各時刻に対応付けて、キューシートに記述されているコンテンツ情報が、番組表に記述されている同時刻に対応する番組情報にも記述されている確率である情報一致確率に関する情報を、履歴情報テーブルを使って管理する。いずれの放送局もキーワードを含むコンテンツ情報で特定されるコンテンツを放送していないと判断された場合、制御部２は、各放送局の番組表に記述されている現在時刻に対応する番組情報の中に、キーワードを含む番組情報が存在するか否かを判断する。キーワードを含む番組情報が存在する場合に、制御部２は、キーワードを含む番組情報に対応する放送局の現在時刻における情報一致確率が、所定の閾値以上であるか否かを判断する。キーワードを含む番組情報に対応する放送局の現在時刻における情報一致確率が所定の閾値以上である場合に、制御部２は、キーワードを含む番組情報に対応する放送局に受信放送局を切換える。
【００３４】
また、キーワードを含む番組情報が存在しない場合、または、キーワードを含む番組情報に対応する放送局の現在時刻における情報一致確率が所定の閾値未満である場合、制御部２は、受信放送局を所定の放送局に切換える。所定の放送局は、ユーザ操作によって設定可能であってもよい。あるは、キーワードを含む番組情報が存在しない場合、または、キーワードを含む番組情報に対応する放送局の現在時刻における情報一致確率が所定の閾値未満である場合、受信放送局を切換えないようにしてもよい。
【００３５】
以上の構成を有する放送受信装置１についてその動作を説明する。なお、以下の例において、受信部６によって受信された放送データは、再生部５によって再生されてもよく、ＨＤＤ３に記録されてもよい。図５は、制御部２の処理を示すフローチャートである。
【００３６】
まず、図示しないが、制御部２は、ユーザ操作に応じてキーワードが入力されると、入力されたキーワードをメモリ４に登録する。キーワードは、例えば、アーティスト名、曲名等の曲のメタデータ等である。なお、キーワードは、１つのみでもよく、複数のキーワードの組合せ（ＯＲ又はＡＮＤ）でもよい。ここでは、キーワードとして「ａａａ」が登録されたとする。なお、キューシートに登録されているコンテンツ情報に番組内容やＤＪ名等が含まれている場合、それらの情報がキーワードとして登録されてもよい。
【００３７】
図示しないが、制御部２は、所定時間（例えば２４時間）毎に、サーバ１００からインターネット経由で番組表を要求および受信し、メモリ４に保存する。
【００３８】
図５に示すように、制御部２は、放送データの受信および再生処理を開始する（Ｓ１１）。つまり、最初は所定の放送局（あるいはユーザ操作によって選択された放送局）を選択し、選択した放送局からの放送データを受信部６によって受信して、再生部５によって再生する。
【００３９】
サーバ１００は、管理者の操作によって、各放送局のキューシートについて、放送時刻およびコンテンツ情報を随時更新し、サーバ１００のメモリに保存している。制御部２は、所定時間毎にサーバ１００に各放送局のキューシートを送信するようにインターネット経由で要求し、サーバ１００から各放送局のキューシートをインターネット経由で取得し、メモリ４に保存する（Ｓ１２）。
【００４０】
制御部２は、受信したキューシート及びその時刻に対応する番組表に基づいて、履歴情報テーブルの各項目（曲数、連続同一再生回数および情報一致回数）を更新する（Ｓ１３）。具体的には、今回受信したキューシートと前回受信したキューシートとを比較して、更新されている部分を抽出する。更新されている曲について放送終了時刻（又は次の曲の放送開始時刻）が判明している場合、つまり放送開始時刻及び放送終了時刻の両方が判明している場合、当該曲の時刻に対応する曲数を１加算する。そして、その曲のアーティスト名が次の曲のアーティスト名と一致する場合には、当該曲の時刻に対応する連続同一再生回数を１加算する。さらに、当該曲のアーティスト名又は曲名が、番組情報にも記述されている場合、当該曲の時刻に対応する情報一致回数を１加算する。
【００４１】
Ｓ１４、Ｓ１５、Ｓ１９では、ユーザ操作によって登録されたキーワードが現在時刻に対応する各放送局のキューシートのアーティスト名又は曲名に含まれているか否かが判断される。まず、制御部２は、現在選択されている放送局以外の他の放送局のキューシートの現在時刻に対応するアーティスト名および曲名の中で、ユーザ操作によって登録されているキーワードが含まれているものが存在するか否かを判断する（Ｓ１４）。キーワードが「ａａａ」である場合、アーティスト名または曲名に「ａａａ」を含むものが存在するかが判断される。
【００４２】
アーティスト名または曲名にキーワードを含む他の放送局が存在する場合（Ｓ１４でＹＥＳ）、制御部２は、現在選択されている放送局のキューシートの現在時刻に対応するアーティスト名および曲名にもキーワードが含まれているか否かを判断する（Ｓ１５）。
【００４３】
含まれている場合（Ｓ１５でＹＥＳ）、制御部２は、履歴情報テーブルの内容を判断し、現在時刻に対応する他の放送局の連続同一再生確率が、現在時刻に対応する現在選択されている放送局の連続同一再生確率よりも高いか否かを判断する（Ｓ１６）。連続同一再生確率は、上記の通り、連続同一再生回数を曲数で除算した値である。つまり、アーティスト名または曲名にキーワードを含む他の放送局の方が、現在選択されている放送局よりも、同じアーティストの曲が連続して放送される可能性が高いか否かが判断される。高い場合（Ｓ１６でＹＥＳ）、制御部２は、アーティスト名または曲名にキーワードを含む他の放送局を新たに受信放送局に切換える（Ｓ１７）。低い場合（Ｓ１６でＮＯ）、制御部２は、現在選択されている放送局をそのまま選択した状態を維持する。これにより、現在時刻では両方の放送局においてキーワードを含むコンテンツ情報で特定される曲を再生しているが、その後にも同アーティスト名の曲を連続して再生する可能性の高い放送局を自動的に選択することができる。
【００４４】
制御部２は、ユーザ操作によって放送データを再生終了する指示が入力されたか否かを判断する（Ｓ１８）。再生終了する指示が入力された場合（Ｓ１８でＹＥＳ）、制御部２は、放送データの受信および再生処理を終了する。再生終了する指示が入力されない場合（Ｓ１８でＮＯ）、Ｓ１１に戻り、上記の処理を繰り返す。
【００４５】
一方、Ｓ１５において含まれていないと判断された場合（Ｓ１５でＮＯ）、制御部２は、アーティスト名または曲名にキーワードを含む他の放送局を新たに受信放送局に切換える（Ｓ１７）。
【００４６】
Ｓ１４において、アーティスト名または曲名にキーワードを含む他の放送局が存在しない場合（Ｓ１４でＮＯ）、制御部２は、現在選択されている放送局のキューシートの現在時刻に対応するアーティスト名および曲名にキーワードが含まれているか否かを判断する（Ｓ１９）。
【００４７】
含まれている場合（Ｓ１９でＹＥＳ）、制御部２は、現在選択されている放送局をそのまま選択した状態を維持する。一方、含まれていない場合（Ｓ１９でＮＯ）、制御部２は、全ての放送局の番組表の現在時刻に対応する番組情報の中で、ユーザ操作によって登録されているキーワードが含まれている番組情報を有する放送局が存在するか否かを判断する（Ｓ２０）。例えば、キーワードが「ａａａ」である場合、番組情報に「ａａａ」を含むものが存在するかが判断される。
【００４８】
存在する場合（Ｓ２０でＹＥＳ）、制御部２は、番組表の現在時刻に対応する番組情報にキーワードが含まれている放送局に関し、情報一致確率が所定の閾値（例えば０．１％）以上であるか否かを判断する（Ｓ２１）。情報一致確率が所定の閾値以上である場合（Ｓ２１でＹＥＳ）、制御部２は、番組表の現在時刻に対応する番組情報にキーワードが含まれている放送局を受信放送局に切換える（Ｓ１７）。Ｓ２０でＮＯの場合、および、Ｓ２１でＮＯの場合、制御部２は所定の放送局を受信放送局に切換える（Ｓ２２）。
【００４９】
情報一致確率は、番組内の各時間帯の中で曲が放送される可能性を示す値であるので、現在時刻の情報一致確率が所定の閾値以上である場合、キーワードで特定される曲が放送されている可能性が高い。従って、このような場合に当該放送局に受信放送局を切換えることによって、キーワードで特定される曲を受信して再生できる可能性を高めることができる。一方、現在時刻の情報一致確率が所定の閾値未満である場合、キーワードで特定される曲が放送されている可能性は低い。従って、このような場合に受信放送局を当該放送局には切換えないことによって、ユーザが関心の低い放送データを受信して再生する可能性を低くできる。
【００５０】
以上の処理によって、キーワードに一致する曲を放送している（又はその可能性が高い）放送局に受信放送局を自動的に切換えることができ、かつ、キーワードに一致する曲を今後放送する可能性が高い放送局に受信放送局を自動的に切換えることができる。
【００５１】
図６は、制御部２の別の実施形態による処理を示すフローチャートであり、図５と比較してＳ２０、Ｓ２１の処理が省略されている。つまり、Ｓ１９でＮＯと判断された場合には、番組表を利用することなく、所定の放送局に切換えるようにしてもよい。
【００５２】
図７は、制御部２のさらに別の実施形態による処理を示すフローチャートであり、図５と比較してＳ１４、Ｓ１５、Ｓ１６、Ｓ１９の処理が省略されている。つまり、キューシートにキーワードを含むコンテンツ情報が記述されているか否かを判断しそれによって放送局を切換える処理が省略されている。
【００５３】
以上、本発明の好ましい実施形態を説明したが、本発明はこれらの実施形態には限定されない。本発明の放送受信装置を動作させるためのコンピュータプログラムまたはそのコンピュータプログラムを記録した記録媒体という形態で提供されてもよい。
【産業上の利用可能性】
【００５４】
本発明は、ラジオやＴＶ等の放送受信装置に好適に採用され得る。
【符号の説明】
【００５５】
１              放送受信装置
２              制御部
３              ＨＤＤ
４              メモリ
５              再生部
６              受信部
７              通信部
８              操作部
９              表示部
１００          サーバ
【図１】
2012151606.tif 000003
【図２Ａ】
2012151606.tif 000004
【図２Ｂ】
2012151606.tif 000005
【図２Ｃ】
2012151606.tif 000006
【図３】
2012151606.tif 000007
【図４Ａ】
2012151606.tif 000008
【図４Ｂ】
2012151606.tif 000009
【図５】
2012151606.tif 000010
【図６】
2012151606.tif 000011
【図７】
2012151606.tif 000012